(57)【特許請求の範囲】
【請求項１】
浴槽のフランジ部の隣接する二辺にそれぞれ立設された水返し材の交わるコーナー部に、コーナーバックアップ材を取り付け、該コーナーバックアップ材の背面部を前記コーナー部の内側に配設して、該背面部と前記一対の水返し材の各側端面との間に、外側からシリコンを充填できるシリコンポケットを形成させたことを特徴とする浴槽の水返し構造。
【請求項２】
前記コーナーバックアップ材には、前記水返し材に嵌合される爪部が備えられていることを特徴とする請求項１に記載の浴槽の水返し構造。
【発明の詳細な説明】
【技術分野】
【０００１】
本発明は、浴槽の水返し構造に関するものである。
【背景技術】
【０００２】
従来、この種の浴槽の水返し構造として、特許文献１に開示されているような構造がある。
この特許文献１の構造では、浴槽のフランジ部の隣接する二辺上にそれぞれ水返し片を設け、水返し片の交わるコーナー部に熱膨張吸収部を設けた構造となっている。
【先行技術文献】
【特許文献】
【０００３】
【特許文献１】特開２００８−２０６５９８号公報
【発明の概要】
【発明が解決しようとする課題】
【０００４】
上記特許文献１に開示されている構造は、熱膨張吸収部を設けて、水返し片の熱膨張を吸収することを目的とするものであり、水返し片の交わるコーナー部における止水については何ら開示されておらず、止水を確実に行うためのコーナー部材は無かった。
【課題を解決するための手段】
【０００５】
本発明は、水返し材の交わるコーナー部における止水が確実に行え、止水の作業性が良い浴槽の水返し構造の提供を目的とし、この目的の少なくとも一部を達成するために以下の手段を採った。
本発明の浴槽の水返し構造は、浴槽のフランジ部の隣接する二辺にそれぞれ立設された水返し材の交わるコーナー部に、コーナーバックアップ材を取り付け、該コーナーバックアップ材の背面部を前記コーナー部の内側に配設して、該背面部と前記一対の水返し材の各側端面との間に、外側からシリコンを充填できるシリコンポケットを形成させたことを要旨とする。
【発明の効果】
【０００６】
本発明の浴槽の水返し構造では、水返し材の交わるコーナー部にコーナーバックアップ材を取り付けることにより、このコーナーバックアップ材の背面部と一対の水返し材の各側端面との間に、外側に向かって開口されたシリコンポケットが形成されるため、このシリコンポケットに対しコーナー部の外側から一筆書きでシリコンコーキングを行うことができ、シリコンの拭き取りも不要となり、シリコンを充填するコーキング作業を極めて容易に行うことができ、シリコンはコーナーバックアップ材の背面部に阻まれて内側へは出ないために、コーナー部の内側の凹凸が少なく、極めてすっきりとした仕上がりとなり、かつ確実なコーナー部の止水が行えるものとなる。
【０００７】
また、本発明の浴槽の水返し構造において、前記コーナーバックアップ材には、前記水返し材に嵌合される爪部が備えられているものとすることもできる。
こうすれば、コーナーバックアップ材の爪部を水返し材に嵌合させることで、コーナーバックアップ材を水返し材の交わるコーナー部にワンタッチで確実に取り付けることができるものとなる。
【図面の簡単な説明】
【０００８】
【図１】浴槽の外周に複数の壁パネルを立設した状態の構成図である。
【図２】図１の壁パネルの立設前の浴槽の斜視構成図である。
【図３】浴槽のフランジ上に設けた水返し材の交差するコーナー部にシリコンを充填する作業説明図である。
【図４】水返し材の交わるコーナー部の平面拡大構成図である。
【図５】水返し材の交わるコーナー部にコーナーバックアップ材を取り付けた状態の外側から見たコーナー部の要部拡大構成図である。
【図６】図５におけるコーナーバックアップ材を取り付ける前のコーナー部の要部拡大構成図である。
【図７】コーナーバックアップ材を取り付けた状態の浴槽の内側から見たコーナー部の要部拡大構成図である。
【図８】図７におけるコーナーバックアップ材の取り付け前の内側から見た要部拡大構成図である。
【図９】図４におけるＡ方向から見た要部断面拡大構成図である。
【図１０】コーナーバックアップ材の斜視図である。
【図１１】上面部を下にして見たコーナーバックアップ材の斜視図である。
【図１２】コーナーバックアップ材の底面図である。
【図１３】コーナーバックアップ材の平面図である。
【図１４】浴槽のフランジ部に水返し材を変性シリコンを用いて固設した状態の縦断面拡大構成図である。
【発明を実施するための形態】
【０００９】
次に、本発明を実施するための形態を実施例を用いて説明する。
図１は、浴槽の外周の三方に複数の壁パネル２，２，２を立設した状態の斜視構成図であり、図２は、壁パネル２，２の立設前の浴槽１の斜視図である。
浴槽１の上面外周にはフランジ部が形成されており、このフランジ部の奥側の長辺１ａおよび左右両側のフランジ部の短辺１ｂ，１ｂの端縁に沿って、それぞれ水返し材３Ａ，３Ｂ，３Ｂが固設され、この各水返し材３Ａ，３Ｂ，３Ｂ上に、それぞれ壁パネル２，２，２が立設されて浴室の壁面が構成されるものである。
【００１０】
このフランジ部の長辺１ａ側に取り付けられる水返し材３Ａの側端面３ｉと、フランジ部の短辺１ｂ側に取り付けられる水返し材３Ｂの側端面３ｉが交わるコーナー部Ｃには、図４の平面拡大図で示すように、コーナーバックアップ材４が取り付けられ、このコーナーバックアップ材４の背面部４２と水返し材３Ａの側端面３ｉと水返し材３Ｂの側端面３ｉとの間に、外側に開口するシリコンポケットＰが形成されて、このシリコンポケットＰに対し、図３で示すように、外側からシリコンを充填して、コーナー部Ｃの止水が行えるような構造となっている。
【００１１】
なお、図５は、コーナーバックアップ材４を取り付けた状態のコーナー部Ｃを外側から見た斜視図であり、図６は、コーナーバックアップ材４を取り付ける前のコーナー部Ｃを外側から見た斜視図である。また、図７は、コーナーバックアップ材４を取り付けた状態のコーナー部Ｃを内側から見た斜視構成図であり、図８は、コーナーバックアップ材４を取り付ける前のコーナー部Ｃを内側から見た斜視図である。更に図９は、図４におけるＡ方向から見た要部断面図である。
【００１２】
各図において、先ず水返し材を説明する。
水返し材３Ａおよび３Ｂは、アルミニウム製の押出成形品であり、例えば図９において説明すると、水返し材３Ａおよび３Ｂは、浴槽１のフランジ部（短辺１ｂ）上に固定される固定片３ａと、固定片３ａの外側端から一体状に立ち上がる立上片３ｂで略Ｌ字状の断面に形成されており、立上片３ｂの上端には、外側へ湾曲状に折り曲げて突出した上端突片３ｃが形成され、また、立上片３ｂから係合上突片３ｄと係合下突片３ｅが上下に間隔をおいて平行状にそれぞれ外側へ一体状に突出形成されており、また、立上片３ｂの下端側には、固定片３ａよりも更に下側に向かって垂下する垂下片３ｆが一体形成されている。この垂下片３ｆが浴槽フランジ部（短辺１ｂ）の端縁に変性シリコンを介して隣接し、固定片３ａがフランジ部（短辺１ｂ）上に固定されるものである。
なお、固定片３ａをフランジ部（短辺１ｂ）に固定するボルト用のボルト孔３ｇが固定片３ａに形成されている。
【００１３】
なお、図４に示すように、水返し材３Ａおよび水返し材３Ｂのコーナー部Ｃ側には、略４５度の角度に切断した傾斜切断面３ｈが固定片３ａの先端に形成されて、コーナー部Ｃに、各水返し材３Ａおよび３Ｂの立上片３ｂ，３ｂの端面である側端面３ｉ，３ｉが配置される。
【００１４】
次に、コーナー部Ｃに取り付けられるコーナーバックアップ材４は、図１０の斜視図で、また、逆転させた図１１の斜視図で、また、図１２の底面図で、また、図１３の平面図で示すような形状となっている。
即ち、コーナーバックアップ材４は樹脂で形成されており、上面部４１には、外側に開口して大きく凹ませて前面凹部４１ａが形成され、背面側にも背面凹部４１ｂが形成されて、上面部４１は略くの字状となっている。
この上面部４１の背面凹部４１ｂから下方に向かって垂下して板状の背面部４２が一体形成されており、また、上面部４１の左右両端側には、背面部４２と平行状に垂下した左右一対のアーム部４３，４３が一体形成されている。この左右のアーム部４３，４３の下端には、内側に向かって突出した爪部４３ａが一体形成されている。
【００１５】
このように樹脂製のコーナーバックアップ材４を、図４，図５，図７および図９に示すように、コーナー部Ｃに取り付ける際には、コーナーバックアップ材４を上方から各水返し材３Ａ，３Ｂに嵌め込んで取り付けることができる。
上方からコーナーバックアップ材４を下方へ押し込むと、コーナーバックアップ材４のアーム部４３の下端の爪部４３ａが、図９のように水返し材の係合上突片３ｄと係合下突片３ｅ間の隙間内に嵌合することとなり、この爪部４３ａが嵌合した時には、上端突片３ｃがコーナーバックアップ材の上面部４１の底面に当接して固定されることとなる。
【００１６】
このコーナーバックアップ材４の取り付け状態では、コーナーバックアップ材４の背面部４２は、コーナー部Ｃの内側に垂下状に配置されることとなり、水返し材３Ａの側端面３ｉと水返し材３Ｂの側端面３ｉの交わる内側にコーナーバックアップ材の背面部４２が配置されて、内側が背面部４２で閉ざされ、この背面部４２と水返し材３Ａの側端面３ｉと水返し材３Ｂの側端面３ｉ間で外側に開口されたシリコンポケットＰが形成されることとなる。
【００１７】
このシリコンポケットＰには、図３に示すように、シリコンを詰めたシリコン充填具５等を用いて、外側からシリコンを上下方向に一筆書きで注入して、シリコンポケットＰにシリコンを容易に充填することができ、シリコンポケットＰにシリコンが充填されることで、水返し材３Ａと水返し材３Ｂの交わるコーナー部Ｃは確実に止水される。
【００１８】
なお、シリコンポケットＰに充填されたシリコンは、内側、即ち浴槽側には漏れないために、シリコンの拭き取りを行う必要はなく、シリコンの充填作業は容易に行うことができ、浴槽のコーナー部Ｃ内側は、コーナーバックアップ材４の背面部４２が立ち上がった凹凸のないすっきりとした形状を呈して、コーナー部Ｃの内側の意匠性は良好に保持される。
【００１９】
このように浴槽のフランジ部の隣接する二辺１ａ，１ｂ上にそれぞれ水返し材３Ａおよび水返し材３Ｂを立設状に固定して、水返し材３Ａ，３Ｂの交わるコーナー部Ｃにはコーナーバックアップ材４を取り付けることで、良好にコーナー部Ｃに外側へ開口したシリコンポケットＰを形成させることができ、このシリコンポケットＰに、外側から一筆書きで縦方向にシリコンを容易に充填させてコーナー部Ｃを止水することができるものとなる。
【００２０】
なお、前述した水返し材３Ａおよび３Ｂを浴槽のフランジ部１ａ，１ｂにそれぞれ取り付け固定するに際し、例えば図１４に拡大縦断面図で示すように、変性シリコンを用いた固定構造とすることができる。
この図１４の構造では、フランジ部１ｂに上下に貫通する貫通孔１ｃを形成させておき、この貫通孔１ｃ内に筒状のスリーブ６を嵌め込み、このスリーブ６の内側に皿ボルト７を通すものである。
【００２１】
この皿ボルト７は、前述した水返し材の固定片３ａに形成されているボルト孔３ｇ内に上方から挿入して、ボルト孔３ｇ内に皿状の頭部を当接させ、ボルト部をスリーブ６内に挿通させて、この皿ボルト７の下端に、ゴムパッキン８とワッシャー９を介在させてナット１０をフランジ部１ｂの底側から締め付け、フランジ部１ｂ上に水返し材３Ｂの固定片３ａを固定するものであるが、固定片３ａとフランジ部１ｂの上面間およびスリーブ６の内側に変性シリコン１１の層を形成させると、この変性シリコン１１は接着性があり、固まっても弾性が残るものであるため、水返し材３Ｂと浴槽１との熱膨張差を、この変性シリコン１１で良好に吸収できるものとなる。
なお、壁パネル２は、内側にタイル２ａが貼設され、その裏側がボード２ｂとなっており、更にその外側には補強フレーム２ｃが設けられたものである。
【００２２】
このように水返し材３Ｂを浴槽１に固定させる際に、変性シリコン１１を用いて熱膨張差を吸収することができるようにしておけば、浴槽１と水返し材との擦れによる音鳴り等の発生を良好に防止できるものとなる。
なお、壁パネル２のタイル２ａの下端と浴槽のフランジ部１ｂ間には、内側へ開放されたシリコンポケットＰａが水平方向に延びて形成されることとなるため、このシリコンポケットＰａには浴槽の内側から水平にシリコンを充填して、浴槽１と壁パネル２間の止水を確実に行うことができるものとなる。
【符号の説明】
【００２３】
１  浴槽
１ａ  フランジ部（長辺）
１ｂ  フランジ部（短辺）
２  壁パネル
２ａ  タイル
３Ａ，３Ｂ  水返し材
３ａ  固定片
３ｂ  立上片
３ｃ  上端突片
３ｄ  係合上突片
３ｅ  係合下突片
３ｆ  垂下片
３ｇ  ボルト孔
３ｈ  傾斜切断面
３ｉ  側端面
４  コーナーバックアップ材
６  スリーブ
７  皿ボルト
１０  ナット
１１  変性シリコン
４１  上面部
４１ａ  前面凹部
４１ｂ  背面凹部
４２  背面部
４３  アーム部
４３ａ  爪部
Ｃ  コーナー部
Ｐ  シリコンポケット
Ｐａ  シリコンポケット
【図１】
0005550577.tif 000002
【図２】
0005550577.tif 000003
【図３】
0005550577.tif 000004
【図４】
0005550577.tif 000005
【図５】
0005550577.tif 000006
【図６】
0005550577.tif 000007
【図７】
0005550577.tif 000008
【図８】
0005550577.tif 000009
【図９】
0005550577.tif 000010
【図１０】
0005550577.tif 000011
【図１１】
0005550577.tif 000012
【図１２】
0005550577.tif 000013
【図１３】
0005550577.tif 000014
【図１４】
0005550577.tif 000015